(57)【要約】【課題】処理容器の大型化又は高周波電源の更なる高周波化に係らずプラズマの面内均一性が高く、温度制御の容易なプラズマ処理装置を提供する。【解決手段】プラズマ処理装置の処理容器２と、この処理容器２の壁部を覆うように設けられた導電体からなる内壁板６との間にインピーダンス調整部６０を接続し、カソード電極である下部電極５からプラズマ、内壁板６及び処理容器２の壁部を介して接地筐体であるマッチングボックス４２に至るまでのインピーダンス値が、下部電極５からプラズマ、アノード電極である上部電極３、処理容器２を介して接地筐体であるマッチングボックス４２に至るまでのインピーダンス値よりも大きくなるようにする。【選択図】図１
2007242474.tif 000002
【特許請求の範囲】
【請求項１】
処理容器内にて高周波電力により処理ガスをプラズマ化し、そのプラズマにより基板に対して処理を行うためのプラズマ処理装置において、
この処理容器内に当該処理容器とは絶縁され、かつ、互いに対向して設けられたカソード電極及びアノード電極と、
前記カソード電極に整合回路を介してその一端が接続された高周波電源と、
処理容器の壁部に当該処理容器とは絶縁され、かつ当該壁部を覆うように設けられた導電体からなる内壁板と、
その一端側が内壁板に接続されると共に、他端側が前記処理容器に接続されたインピーダンス調整部と、を備え、
前記カソード電極及びアノード電極のうちいずれか一方の電極上に基板が載置され、
前記インピーダンス調整部は、カソード電極からプラズマ、内壁板及び処理容器の壁部を介して前記整合回路の接地筐体に至るまでのインピーダンス値が、カソード電極からプラズマ、アノード電極及び処理容器の壁部を介して前記整合回路の接地筐体に至るまでのインピーダンス値よりも大きくなるように、そのインピーダンス値を調整するためのものであることを特徴とするプラズマ処理装置。
【請求項２】
前記内壁板と処理容器の壁部との間には真空雰囲気が介在していることを特徴とする請求項１に記載のプラズマ処理装置。
【請求項３】
内壁板と処理容器の壁部との間は、プラズマ処理を行う雰囲気に開放されていることを特徴とする請求項２に記載のプラズマ処理装置。
【請求項４】
前記インピーダンス調整部は、インピーダンス値を可変なように構成されていることを特徴とする請求項１ないし３のいずれか一つに記載のプラズマ処理装置。
【請求項５】
前記インピーダンス値を可変なように構成されたインピーダンス調整部は、容量可変コンデンサとインダクタとの直列回路であることを特徴とする請求項４に記載のプラズマ処理装置。
【請求項６】
プラズマ処理の種別とインピーダンス調整部の調整値とを対応付けたデータが記憶された記憶部を含み、選択されたプラズマ処理の種別に応じた前記調整値を前記記憶部から読み出して前記インピーダンス調整部を調整するための制御信号を出力する制御部を更に備えたことを特徴とする請求項４又は５に記載のプラズマ処理装置。
【請求項７】
前記内壁板は、温調媒体を通流するための温調用流路と、
前記処理容器の外部からの温調媒体を導入するための導入口と、
温調媒体を前記処理容器の外部に排出するための排出口と、を備えたことを特徴とする請求項１ないし６のいずれか一つに記載のプラズマ処理装置。
【請求項８】
処理容器の外部に設けられ、前記温調媒体の温度を調節する温度調節手段と、
この温度調節手段を介して温調媒体の温度を調節することにより前記内壁板の外表面温度を制御する手段と、を備えたことを特徴とする請求項７に記載のプラズマ処理装置。
【発明の詳細な説明】
【技術分野】
【０００１】
本発明は、高周波電力により処理ガスをプラズマ化し、そのプラズマにより基板に対してエッチング等の処理を施すプラズマ処理装置に関する。
【背景技術】
【０００２】
半導体デバイスや液晶表示装置等のフラットパネルの製造工程においては、半導体ウエハやガラス基板といった被処理基板にエッチング処理や成膜処理等のプロセス処理を施すために、プラズマエッチング装置やプラズマＣＶＤ成膜装置等のプラズマ処理装置が用いられる。
【０００３】
図９は、従来から用いられている平行平板型のプラズマ処理装置を示す図である。このプラズマ処理装置においては、例えばアルミニウム等からなる処理容器１１内に、ガス供給部をなすガスシャワーヘッドを兼用した上部電極１２が設けられると共に、この上部電極１２に対向するように基板１０の載置台を兼用する下部電極１３が対向して設けられている。上部電極１２は絶縁材１４により処理容器１１に対して電気的に十分に浮いている状態にあり、整合回路（マッチング回路）１５を介して高周波電源１７に接続されてカソード電極として構成されている。
【０００４】
下部電極１３は、導電路１８を介して処理容器１１に接続されアノード電極として構成されている。この導電路１８は、この例ではシャフト１８ａ、支持板１８ｂ及びベローズ体１８ｃからなる。そして処理容器１１の上部側は、接地された筐体であるマッチングボックス１６を介して高周波電源１７に接続されており、より具体的には高周波電源１７とマッチングボックス１６とを繋ぐ同軸ケーブルの外部層に接続されることにより接地されている。
【０００５】
図９のプラズマ処理装置における高周波電流の導電路の等価回路は図１０のように表される。処理容器１１内にプラズマが発生しているときには上部電極１２及び下部電極１３間は、容量結合されるので、高周波電源１７からの高周波電流の経路は、整合回路１５→上部電極１２→プラズマ→下部電極１３→導電路１８→処理容器１１の壁部→マッチングボックス１６→アースとなる。
【０００６】
ところで処理対象である基板の中で液晶ディスプレイ等のフラットパネル用のガラス基板は益々大型化する傾向にある。これに伴い処理容器１１が大型化してくると、処理容器１１のインダクタンス成分が大きくなるため、上部電極１２及び下部電極１３の間の結合が弱くなり、上部電極１２と処理容器１１の壁部との間にプラズマが発生する（図１０にて容量結合として記載してある）おそれが出てくる。このようなプラズマが発生すると処理容器１１内のプラズマは周辺に偏ったものとなり、この結果基板１０に対して面内均一性の高い処理を行うことができなくなることや、また処理容器１１の内壁や内部部品が損傷し、あるいは消耗が進みやすくなるという不具合がある。
【０００７】
そこで、特許文献１には、アノード電極（図９の下部電極１３に相当）と処理容器１１との間にインピーダンス調整部を設け、上部電極１２と下部電極１３との間で容量結合を強めてプラズマの均一性を高める手法が記載されている。
【特許文献１】特開２００５−３４０７６０号公報：第１２頁第２５段落〜第１２頁第２７段落
【０００８】
ところで、基板が益々大型化する傾向にある一方で、プラズマ中のイオンエネルギーは低く、且つ電子密度の高い、「低エネルギー、高密度プラズマ」が要求される処理が多くなってきている。このため、プラズマを発生させる高周波電源の周波数を高くすることが要請されている。
【０００９】
しかし、高周波数化により、処理容器のインダクタンス成分がより一層大きくなるので、面内均一性の高いプラズマを生成するためには、上部電極１２及び下部電極１３の容量結合を更に強める必要がある。
【００１０】
また、処理容器の大型化により、容器の熱容量が非常に大きくなってきており、このため容器の内壁面における温度応答性が悪く、その結果、前記内壁面の温度を均一化するための温度制御が難しく、基板に対する処理、例えばエッチングについて高い面内均一性を確保することが困難になっている。
【発明の開示】
【発明が解決しようとする課題】
【００１１】
本発明は、このような事情に基づいてなされたものであり、その目的は、処理容器が大型化してもプラズマの面内均一性が高いプラズマ処理装置を提供することにある。
【課題を解決するための手段】
【００１２】
本発明に係るプラズマ処理装置は、処理容器内にて高周波電力により処理ガスをプラズマ化し、そのプラズマにより基板に対して処理を行うためのプラズマ処理装置において、
この処理容器内に当該処理容器とは絶縁され、かつ、互いに対向して設けられたカソード電極及びアノード電極と、
前記カソード電極に整合回路を介してその一端が接続された高周波電源と、
処理容器の壁部に当該処理容器とは絶縁され、かつ当該壁部を覆うように設けられた導電体からなる内壁板と、
その一端側が内壁板に接続されると共に、他端側が前記処理容器に接続されたインピーダンス調整部と、を備え、
前記カソード電極及びアノード電極のうちいずれか一方の電極上に基板が載置され、
前記インピーダンス調整部は、カソード電極からプラズマ、内壁板及び処理容器の壁部を介して前記整合回路の接地筐体に至るまでのインピーダンス値が、カソード電極からプラズマ、アノード電極及び処理容器の壁部を介して前記整合回路の接地筐体に至るまでのインピーダンス値よりも大きくなるように、そのインピーダンス値を調整するためのものであることを特徴とする。
【００１３】
このプラズマ処理装置の内壁板と処理容器の壁部との間には、例えばプラズマ処理を行う雰囲気に開放されていること等により、真空雰囲気が介在しているとよい。
【００１４】
また、インピーダンス調整部は、例えば容量可変コンデンサとインダクタとの直列回路等のように、インピーダンス値を可変なように構成されていることが好ましい。このとき、プラズマ処理の種別とインピーダンス調整部の調整値とを対応付けたデータが記憶された記憶部を含み、選択されたプラズマ処理の種別に応じたインピーダンス調整値を前記記憶部から読み出して前記インピーダンス調整部を調整するための制御信号を出力する制御部を更に備えているとよい。
【００１５】
また、前記内壁板は、温調媒体を通流するための温調用流路と、前記処理容器の外部からの温調媒体を導入するための導入口と、温調媒体を前記処理容器の外部に排出するための排出口と、を備えていることがこのましく、更には、処理容器の外部に設けられ、前記温調媒体の温度を調節する温度調節手段と、この温度調節手段を介して温調媒体の温度を調節することにより前記内壁板の外表面温度を制御する手段と、を備えているとよい。
【発明の効果】
【００１６】
本発明によれば、カソード電極からプラズマ、内壁板及び処理容器の壁部を介して前記整合回路の接地筐体に至るまでの経路のインピーダンス値を、カソード電極からプラズマ、アノード電極及び処理容器の壁部を介して前記整合回路の接地筐体に至るまでの経路のインピーダンス値よりも大きくすることができる。これにより、カソード電極と内壁板との間でプラズマを立ちにくくすることが可能となる。その結果、カソード電極とアノード電極との間にプラズマが集中し、基板上のプラズマは面内均一性の高いものとなる。基板の表面はこのプラズマにより例えばエッチング処理が行われるが、プラズマの面内均一性が高いことから、エッチング速度の面内均一性が高く、従って面内で均一なエッチングを行うことができる。また処理容器の内壁や内部部品の損傷あるいは消耗を抑えることができる。
【発明を実施するための最良の形態】
【００１７】
本発明のプラズマ処理装置を、液晶ディスプレイ用のガラス基板をエッチングする装置に適用した実施の形態について説明する。図１において２は例えば表面が陽極酸化処理されたアルミニウムからなる角筒形状の処理容器２である。この処理容器２の上部には、ガス供給部であるガスシャワーヘッドを兼用する上部電極３が設けられており、この上部電極３は、処理容器２の上面の開口部３０の開口縁に沿って設けられた絶縁材３１により処理容器２に対して電気的に十分に浮いている状態となっている。また上部電極３であるガスシャワーヘッドは、ガス供給路３２を介して処理ガス供給部３３に接続されると共にガス供給路３２から供給されたガスを多数のガス孔３４から処理容器２内に供給するように構成されている。
【００１８】
一方、処理容器２の底部には、基板１０を載置する載置台を兼用した下部電極５が設けられており、この下部電極５は、絶縁材５０を介して支持部５１に支持されている。従って下部電極５は、処理容器２から電気的に十分浮いた状態になっている。本実施の形態に係るプラズマ処理装置は、下部電極５に異なる周波数の２つの高周波電源を設けたいわゆる下部２周波タイプのプラズマ処理装置である。具体的には、支持部５１の下側に保護管４５を接続し、この保護管４５を処理容器２の底面に貫通させ、保護管４５の下端部にマッチングボックス４２を接続している。マッチングボックス４２内には、２個の整合回路４１ａ、４１ｂが設けられ、これら整合回路４１ａ、４１ｂの一端側は夫々保護管４５内に配置された導電路４６ａ、４６ｂを介して下部電極５に接続されると共に、整合回路４１ａ、４１ｂの他端側には夫々導電路４０ａ、４０ｂを介して、接地された第１の高周波電源４ａ及び第２の高周波電源４ｂが接続されている。またマッチングボックス４２の下部は、前記導電路４０ａ、４０ｂと共に同軸ケーブル４４ａ、４４ｂを構成する外層部４３ａ、４３ｂとして伸びており、これらの外層部４３ａ、４３ｂは接地されている。この例では、マッチングボックス４２が整合回路４１ａ、４１ｂの接地筐体に相当する。なお、本発明を適用可能なプラズマ処理装置は、下部２周波タイプのプラズマ処理装置に限定されない。例えば、上部１周波タイプや下部１周波タイプ及び、上下２周波タイプのプラズマ処理装置等にも本発明は適用することができる。
【００１９】
本実施の形態では、第１の高周波電源４ａは、１０ＭＨｚ〜６０ＭＨｚ、例えば２０ｋＷの高周波電力を出力し、第２の高周波電源４ｂは、２ＭＨｚ〜６ＭＨｚ、例えば２０ｋＷの高周波電力を出力する。第１の高周波電源４ａからの高周波電力は、処理ガスを活性化する役割を果たし、第２の高周波電源４ｂからの電力は、プラズマ中のイオンを基板１０側に引き込む役割を果たす。なお、図１には示されていないが、下部電極５と整合回路４１ａとの間にはハイパスフィルタが、また下部電極５と整合回路４１ｂとの間にはローパスフィルタが介在しており、両高周波電源４ａ、４ｂの間で相手方の高周波成分が入力されないようになっている。
【００２０】
上部電極３には、導電路５２を介してインピーダンス調整部５３の一端側が接続されていると共に、このインピーダンス調整部５３の他端側は処理容器２の開口部３０を覆う導電性カバー体５４を介して処理容器２の上部例えば天井部に接続されている。インピーダンス調整部５３は、下部電極５と処理容器２の壁部等との間でプラズマを立ちにくくするために、プラズマ処理装置に複数設けられているデバイスの１つである。具体的には、下部電極５からプラズマ、上部電極３及び処理容器２の壁部を介してマッチングボックス４２に至るまでの経路における第１の高周波電源４ａの高周波のインピーダンス値が、下部電極５からプラズマ及び処理容器２の壁部等を介してマッチングボックス４２に至るまでの経路における第１の高周波電源４ａの高周波のインピーダンス値よりも小さくなるようにそのインピーダンス値を調整するためのものである。インピーダンス調整部５３は、例えば容量可変コンデンサや、固定容量のコンデンサと容量可変コンデンサとの組み合わせた回路等により構成される。なお、上記の経路における第２の高周波電源４ｂの高周波のインピーダンス値を調整するために、もう１つのインピーダンス調整部を上部電極３と処理容器２との間に設けてもよい。
【００２１】
以上の構成により、本プラズマ処理装置では下部電極５をカソード電極とし、上部電極３をアノード電極として、これらの電極５、３の間の空間にプラズマを発生させることができるようになっている。また、処理容器２の底面には、排気路２１が接続され、この排気路２１には真空排気手段２２が接続されている。この他、図１には示していない処理容器２の壁部（例えば、図１の手前側もしくは奥側の壁部）には、基板１０の搬送口を開閉するためのゲートバルブが設けられている。
【００２２】
上述の構成により本プラズマ処理装置では、第１の高周波電源４ａからの高周波電流は、第１の高周波電源４ａ→整合回路４１ａ→下部電極５→プラズマ→上部電極３→インピーダンス調整部５３→処理容器２→マッチングボックス４２の経路で流れ、第２の高周波電源４ｂからの高周波電流は、第２の高周波電源４ｂ→整合回路４１ｂ→下部電極５→プラズマ→上部電極３→インピーダンス調整部５３→処理容器２→マッチングボックス４２の経路で流れる（以下、これらの経路に共通する、下部電極５→プラズマ→上部電極３→インピーダンス調整部５３→処理容器２→マッチングボックス４２からなる経路を「正常な経路」と呼ぶ）。しかし、背景技術の項目において記載したように、カソード電極である下部電極５からプラズマを介して処理容器２の壁部等に高周波電流が流れるおそれがあるため（以下、下部電極５→プラズマ→処理容器２の壁部等からなる経路を「異常な経路」と呼ぶ）、異常な経路のインピーダンス値が正常な経路のインピーダンス値よりも大きくなるような調整を行っている。
【００２３】
このような調整を行うため、図１〜図３に示したように、処理容器２の壁部を覆うように矩形板状の内壁板６を設けている。内壁板６は、例えば表面が陽極酸化処理されたアルミニウム等からなる導電体であって、固定部材６４を介して処理容器２の壁部に固定されている。内壁板６には、導電路６３を介してインピーダンス調整部６０の一端が接続されており、このインピーダンス調整部６０の他端は、導電路６３を介して処理容器２に接続されている。インピーダンス調整部６０は、インダクタ６１であるコイルと、容量可変コンデンサ６２との直列回路として構成されており、異常な経路（以下、「異常な経路」は、下部電極５→プラズマ→内壁板６→処理容器２と、内壁板６を含むものとする）のインピーダンス値が正常な経路のインピーダンス値よりも大きくなるように、異常な経路のインピーダンス値を増大させる機能を果たす。インピーダンス調整部６０は、容量可変コンデンサ６２を含むことによって、そのインピーダンス値を可変なように構成されている。また、インピーダンス調整部６０は、制御部７と接続されており、制御部７は、図示しない容量可変コンデンサ６２を駆動するモータを動かして、異常な経路のインピーダンス値を適切に調整する役割を果たす。
【００２４】
図１においては、図示の便宜上、処理容器２の左右両壁に設けられた内壁板６のみが図示されているが、本図では図示されていない手前側の壁と奥側の壁とにも内壁板６が設けられている。そして、基板１０の搬送口を覆う内壁板６には、基板１０を搬入出する経路と干渉しないように開口部が設けられている。なお、本実施の形態では、図１に示すように、各内壁板６の夫々にインピーダンス調整部６０を設けているが、例えば、１つのインピーダンス調整部６０に複数枚の内壁板６を接続して、これら複数枚の内壁板６を含む異常な経路のインピーダンス値を一括して調整するように構成してもよい。
【００２５】
ここで、内壁板６を処理容器２に固定する固定部材６４は、例えば柱状の形態を有しており、例えば石英、セラミクス、テフロン（登録商標）やポリイミド等の絶縁体によって構成されている。柱状の固定部材６４の一端が処理容器２の壁部に固定され、その他端に内壁板６が取り付けられることによって、処理容器２の壁部と内壁板６とが直接接触しないように内壁板６が固定される。また、内壁板６が固定部材６４を介して固定されていることにより、内壁板６と処理容器２の壁部との間には空間が形成される。この空間は、プラズマ処理が行われる雰囲気に開放されている。これにより、この空間内の雰囲気も処理容器２内の他の空間と同様に、真空排気手段２２による真空排気がされた真空雰囲気（大気圧に対して減圧の状態で処理ガスが満たされた雰囲気）となる。なお、処理容器２内に発生したプラズマが上述の空間に入り込まないように、処理容器２の壁部には内壁板６と処理容器２の壁部との間の空間の開口部を覆うように、図示しない絶縁体からなる遮蔽板が設けられている。但し、この遮蔽板は、上述の空間とプラズマ処理が行われる雰囲気とを隔離するものではない。
【００２６】
また、絶縁体である固定部材６４を介して内壁板６が処理容器２の壁部に固定されていることと、内壁板６と処理容器２の壁部との間に形成されている空間が真空雰囲気であることとにより、内壁板６は処理容器２に対して電気的に十分に浮いている状態となっている。
【００２７】
更に、図２、図３に示すように、内壁板６の内部には、プラズマによる処理を行う際に、内壁板６の外表面温度を所定の温度に維持するための温調媒体が流れる温調用流路６６が形成されている。温調用流路６６は、図３に示したような流路形状を有しており、温調用流路６６の一端と他端とには、例えば図３に示すように、導入口６７ａと排出口６７ｂとが内壁板６の略中央部に互いに隣接するように設けられている。そして、導入口６７ａは導入管６６ａに、排出口６７ｂは排出管６６ｂに夫々接続されており、夫々の配管６６ａ、６６ｂは処理容器２の外部に設けられた例えば熱交換器などからなる温調部６５と接続されている。
【００２８】
温調媒体には、絶縁性の高い媒体が使用される。この温調媒体は、図示しない循環ポンプの働きによって内壁板６と温調部６５との間を循環しながら内壁板６を昇温することにより、反応生成物等が内壁板６に付着することを抑制できる。また、温調部６５は処理容器２内に設けた図示しない温度検出部の検出値に基づいて温度コントローラ８を介して温調媒体の温調を行い、内壁板６の外表面温度を制御することができる。
【００２９】
また、内壁板６とインピーダンス調整部６０とを接続する導電路６３や、内壁板６と温調部６５とを接続する配管６６ａ、６６ｂは図２に示すように固定部材６４をなす絶縁体により覆われている。これにより、内壁板６は処理容器２に対して電気的に十分に浮いた状態が維持されている。
【００３０】
次に、インピーダンス調整部６０を用いて異常な経路のインピーダンス値を調整する手法について図４〜図６を参照しながら説明する。図４は、図１のプラズマ処理装置において高周波電流に対する等価回路である。処理容器２は、インダクタンス成分とみなすことができるのでインダクタとして表示してある。Ｃ１は下部電極５及び上部電極３間のプラズマを容量成分として記載したものであり、Ｃ２は下部電極５及び内壁板６間のプラズマを容量成分として表したものである。
【００３１】
ここで、下部電極５と上部電極３との間に形成されるプラズマのキャパシタンス（Ｃ１）及びインピーダンス調整部５３の容量成分（Ｃｖ）、処理容器２の下部に至るまでの経路のインダクタンス（Ｌ１）によると、この正常な経路のインピーダンス値は、Ｚ１＝ｊ（−１／ωＣ１−１／ωＣｖ＋ωＬ１）と表すことができる。そこで、本実施の形態の狙いは、下部電極５と内壁板６との間に形成されるプラズマのキャパシタンス（Ｃ２）及び処理容器２の壁部から処理容器２の下部に至るまでの経路のインダクタンス（Ｌ２）を含む異常な経路のインピーダンス値Ｚ２＝ｊ（−１／ωＣ２＋ωＬ２）にインピーダンス調整部６０のインピーダンス値Ｚｖを加えることにより、異常な経路のインピーダンス値を正常な経路のインピーダンス値よりも大きくすること（Ｚ２＋Ｚｖ＞Ｚ１とすること）にある。
【００３２】
図５は、インピーダンス調整部６０の具体的な構成の一例である。インピーダンス調整部６０は、例えば容量可変コンデンサ６２とインダクタ６１とを直列に接続した回路として構成され、容量可変コンデンサ６２のトリマの位置を変えてそのキャパシタンスを変化させることにより、インピーダンス調整部６０のインピーダンス値（Ｚｖ）を変えることができる。ところで、内壁板６と処理容器２の壁部との間にはキャパシタンス（Ｃ３）が存在する。このため、内壁板６と処理容器２の壁部との間における高周波電流に対する等価回路は、内壁板６及び処理容器２の壁部間の容量成分とインピーダンス調整部６０との並列回路として表現することができる。
【００３３】
インピーダンス調整部６０を用いて上述の異常な経路のインピーダンス値を大きくするには、インピーダンス調整部６０のインピーダンス値を種々変えて、図５に示した内壁板６と処理容器２の壁部との間に形成される並列回路全体のインピーダンス値が最大となるようにすればよい。例えば第１の高周波電源４ａが特定の周波数の高周波電力を出力する場合において、容量可変コンデンサ６２のキャパシタンスを変化させると、図５に示した並列回路はあるキャパシタンスにおいて並列共振となり、インピーダンス値が極大となる。そこで、後述する実験例からこの並列回路が並列共振となる付近における容量可変コンデンサ６２のトリマの位置を予め把握しておき、この位置にトリマを設定して第１の高周波電源４ａからの高周波電力の出力を開始することにより、上述の異常な経路のインピーダンス値を大きくすることができる。
【００３４】
ところで、内壁板６と処理容器２の壁部との間のキャパシタンスＣ３が大きくなりすぎると、異常な経路のインピーダンス値を調整しにくくなってしまう。この点について、図１、図２に示すように内壁板６と処理容器２の壁部との間に形成されている空間がプラズマ処理の行われる雰囲気に開放され、真空雰囲気となっていることにより、このキャパシタンスＣ３を適度な大きさとすることができ、インピーダンス値の調整が容易となる。即ち、内壁板６と処理容器２の壁部との間の空間がプラズマ処理の行われる雰囲気に開放されているという構造は、異常な経路のインピーダンス値を調整しやすくするという役割も担っている。また、内壁板６と処理容器２の壁部との間に形成された空間を真空雰囲気とする手法は、この空間をプラズマ処理が行われる雰囲気に開放する場合に限定されない。例えば、図３（ａ）に示した内壁板６の外縁を縁取るように板状の固定部材６４を形成し、この固定部材６４で内壁板６と処理容器２の壁部との間に形成される空間を密閉し、その密閉された空間を真空雰囲気としてもよい。
【００３５】
なお、第１の高周波電源４ａだけでなく、第２の高周波電源４ｂが出力する高周波電力に対しても異常な経路のインピーダンス値を増大させたい場合には、各内壁板６と処理容器２の壁部との間にもう１つずつインピーダンス調整部を設置すればよい。これらのインピーダンス調整部の容量可変コンデンサを第２の高周波電源４ｂの周波数に対応して調整することにより、第２の高周波電源４ｂが出力する高周波電力に対してもインピーダンス値を増大させることができる。
【００３６】
また、インピーダンス調整部６０の実施の形態は、図５に示した容量可変コンデンサ６２とインダクタ６１との直列回路に限定されるものではない。例えば、（ａ）容量可変コンデンサのみを用いる場合や、（ｂ）固定容量のコンデンサと容量可変コンデンサとを組み合わせる場合、（ｃ）固定容量コンデンサを用いる場合や、（ｄ）インダクタンスの可変なインダクタと固定容量コンデンサとを組み合わせる場合等種々の構成を採用してもよい。
【００３７】
次に、本実施の形態の作用効果について述べる。まず、予め温調部６５の循環ポンプを循環させ、温調媒体を内壁板６と温調部６５との間で循環させる。そして、温調部６５の温度調節手段を作動させて、温調部６５内部の温調媒体の温度を例えば１２０℃に調節する。このような準備を行った後、図示しないゲートバルブを開いて図示しないロードロック室から図示しない搬送アームにより基板１０が処理容器２内に搬入され、下部電極５内を貫通する図示しない昇降ピンとの間の協同動作により基板１０が下部電極５の上に受け渡される。次いでゲートバルブを閉じ、処理ガス供給部３３から上部電極３を通じて処理容器２内に処理ガスを供給すると共に、真空排気手段２２により真空排気することにより処理容器２内を所定の圧力に維持する。そして第１の高周波電源４ａと第２の高周波電源４ｂとから高周波電力を下部電極５及び上部電極３の間に印加することで処理ガスが励起されてプラズマが生成する。処理ガスとしては例えばハロゲンを含むガス例えばハロゲン化合物からなるガス、酸素ガス及びアルゴンガス等が用いられる。
【００３８】
プラズマの発生により高周波電流が下部電極５→プラズマ→上部電極３→インピーダンス調整部５３→処理容器２→マッチングボックス４２→同軸ケーブル４４ａ、４４ｂの外層部４３ａ、４３ｂ→接地のいわば正常な経路を流れる。このとき、内壁板６０に接続されたインピーダンス調整部６０内の容量可変コンデンサ６２のトリマの位置が所定の位置に設定されていることにより、下部電極５→プラズマ→内壁板６→インピーダンス調整部６０→処理容器２→マッチングボックス４２→同軸ケーブル４４ａ、４４ｂの外層部４３ａ、４３ｂ→接地からなる異常な経路のインピーダンス値は、上述の正常な経路のインピーダンス値よりも大きくなるようになっている。このため、下部電極５と処理容器２の壁部との間には、プラズマが立ちにくくなる。その結果、下部電極５と上部電極３との間にプラズマが集中し、基板１０上のプラズマは面内均一性の高いものとなる。基板１０の表面はこのプラズマにより例えばエッチング処理が行われるが、プラズマの面内均一性が高いことから、エッチング速度の面内均一性が高く、従って面内で均一なエッチングを行うことができる。また、処理容器２の内壁や内部部品の損傷あるいは消耗を抑えることができる。
【００３９】
更に本発明では、プラズマを利用した基板１０に対する処理の種別とインピーダンス調整部６０の調整値とを対応付けたデータ（本実施の形態においては、インピーダンス調整部６０内の容量可変コンデンサ６２のトリマ設定位置）を制御部７の記憶部に例えばテーブルとして記憶しておいてもよい。この場合には、図示しないインターフェイス部を介して処理の種別を選択したときに選択された処理の種別に応じて、異常な経路のインピーダンス値が正常な経路のインピーダンス値よりも大きくなるように、制御部７は記憶部からデータを読み出し、例えば容量可変コンデンサ６２を駆動するモータに制御部７から制御信号を出力するように構成するとよい。プラズマを利用した処理の具体例としては、互いに異なるエッチング処理を連続して行う場合においてエッチング処理毎に前記適切な設定値を決めておく場合や、連続成膜プロセスを行う場合に成膜処理毎に前記適切な設定値を決めておく例等が挙げられる。
【００４０】
また、温調用流路６６内に温度調節された温調媒体を流すことにより、例えば、内壁板６を昇温して反応生成物等の付着を抑制できる。特に、内壁板６は処理容器２と比較して容積が小さいため、その熱容量も処理容器２に比べて小さい。更に、内壁板６は、真空排気された処理容器２内に設置されているので、処理容器２の外面と異なり大気と接していない。このため、大気に対していわば真空断熱された状態となっており、例えば処理容器２の壁部内に温調媒体を流す場合と比べて、必要な温調媒体の量も少なくて済み、内壁板６の壁面の温度を制御する際の温度応答性も良い。同時に、必要な温調媒体も少なくて済むことから、例えば温調部６５の温度調節手段で消費されるエネルギーの節約にも貢献することができる。また、温度調節手段に接続された温度コントローラ８により、内壁板６の外表面温度を一定に保つことも可能となる。この結果、基板１０表面の温度を均一かつ、一定に保つことで、面内で均一なエッチングを行うことができる。
【実施例】
【００４１】
続いて本発明の効果を確認するための実験例について述べる。
（実験１）
インピーダンス調整部６０の容量可変コンデンサ６２のキャパシタンスを変化させた場合の、内壁板６と接地間でのインピーダンス値の変化特性を調べた。
【００４２】
Ａ．実験方法
図１に示すような平行平板型のプラズマ処理装置において、実験を簡略化するため第１の高周波電源４ａのみを有する（第２の高周波電源４ｂや整合回路４１ｂ等を有しない）下部１周波タイプのものを用いた。また、インピーダンス調整部６０として、図５に示すように容量可変コンデンサ６２とインダクタ６１とを直列接続したものを内壁板６と処理容器２の壁部との間に接続した。
【００４３】
そして、容量可変コンデンサ６２のトリマの位置を種々変えてインピーダンス調整部６０のインピーダンス値を種々に設定し、処理容器２内に設置された１枚の内壁板６から接地までの異常な経路における、第１の高周波電源４ａからの高周波電流に対するインピーダンス値を測定した。プラズマの発生条件については、下部電極５及び上部電極３の間を２００ｍｍに設定し、プラズマ発生用ガスとしてＳＦ６ガス及びＣｌ２ガスの混合ガスを用い、第１の高周波電源４ａの周波数、電力を夫々２７ＭＨｚ、４．０ｋｗに設定し、圧力を７Ｐａ（５０ｍＴｏｒｒ）に設定した。なお、上部電極３と導電性カバー体５４との間に設置された、正常な経路のインピーダンス調整部５３は予め正常な経路のインピーダンス値が最小になるように設定されている。
【００４４】
Ｂ．実験結果
図６は、容量可変コンデンサ６２のキャパシタンスを変化させた場合における内壁板６−接地間のインピーダンス値を測定した結果を示している。図中、黒塗りのひし形（◆）は測定値を表し、実線は実験結果を結んで得られたインピーダンス値の変化特性を示している。実験結果によると、内壁板６−接地間のインピーダンス値は、容量可変コンデンサ６２のキャパシタンスを大きくするにつれて単調に増加し、キャパシタンスがある大きさに達すると急激に増大して＋∞に発散している。インピーダンス値が＋∞に発散したキャパシタンスにおいて、図５に示した回路が並列共振となっていると考えられる。更に、容量可変コンデンサ６２のキャパシタンスを増やしていくと、インピーダンス値は−∞に転じた後、その絶対値が急速に小さくなってから、徐々に小さくなっていく。
【００４５】
当該プラズマ処理装置において、測定したインピーダンス値の絶対値が大きい程、下部電極５と処理容器２の壁部との間にプラズマが立ちにくくなる。そこで、回路が並列共振となる点の付近となるように、容量可変コンデンサ６２のキャパシタンスを調整すれば回路のインピーダンス値の絶対値が非常に大きくなって、下部電極５と処理容器２の壁部との間にプラズマをたちにくくすることができる。しかし、回路が並列共振となる点の付近では、インピーダンス値の変化が非常に大きく容量可変コンデンサ６２のキャパシタンスが僅かにずれただけでインピーダンス値が大きく変化してしまい、安定した調整ができない場合が多い。そこで、図６の（イ）に示すように、インピーダンス値の絶対値が十分に大きく、かつ、安定した調整が可能なキャパシタンスとなるようなトリマの位置がその条件におけるインピーダンス調整部６０の最適な調整結果となることが分かる。
【００４６】
なお、内壁板６と処理容器２の壁部との間を絶縁体で埋めてしまうと、図３に示した、内壁板６と処理容器２の壁部との間のキャパシタンスＣ３が大きくなりすぎてしまう。この結果、図６に示した、インピーダンス値の絶対値が立ち上がり始める容量可変コンデンサ６２のキャパシタンスの領域が狭くなってしまい、インピーダンス値を調整しにくくなってしまうことが分かっている。例えば、図６には、内壁板６と処理容器２の壁部との間をセラミクス（Ａｌ２Ｏ３、比誘電率９）で埋めた場合の内壁板６−接地間におけるインピーダンス値の変化特性（計算値）を破線で示してある。容量可変コンデンサ６２のキャパシタンスを変化させても、回路が並列共振となるキャパシタンス以外の領域では、内壁板６−接地間のインピーダンス値は変化せず０Ω付近で略一定である。そして、回路が並列共振となる周辺の非常に狭いキャパシタンス領域において急激にインピーダンス値が発散している。内壁板６と処理容器２の壁部との間が真空（比誘電率１）の場合（◆）と比較して、容量可変コンデンサ６２を利用したインピーダンス値の調整が非常に困難であることが分かる。即ち、内壁板６と処理容器２の壁部との間空間を形成し、プラズマ処理が行われる真空雰囲気に開放しておくことは、インピーダンス値の調整がしやすくなるという点で有利であるといえる。
【００４７】
（実験２）
インピーダンス調整部６０の設定を変化させた場合において、下部電極５と処理容器２の壁部との間でのプラズマの状態を調べた。
【００４８】
Ａ．実験方法
（実験１）と略同様のプラズマ処理装置において、内壁板６からの距離とプラズマの状態との関係を調べるため、図７（ｂ）に示したように処理容器２の１面にのみ内壁板６を設置したものを用いた。そして、容量可変コンデンサ６２の静電容量が図６に示した（ア）、（イ）、（ウ）となるようにトリマの位置を変えてインピーダンス調整部６０を調整し、（実験１）と同様のプラズマ発生条件で処理容器２内にプラズマを生成させた。（実験１）の結果によれば、図６に示したように、内壁板６−接地間のインピーダンス値の絶対値は（ウ）→（ア）→（イ）の順番で大きくなる。
【００４９】
処理容器２内のプラズマの状態は、（１）目視による観察と、（２）電子密度分布の測定とにより把握した。電子密度は、プラズマ吸収プローブ法により測定した。また、電子密度の測定位置は、以下のように設定した。即ち、図７（ｂ）のプラズマ処理装置の概略平面図に示したように、図中の矢印をＸ軸として、Ｘ軸上の複数の位置において電子密度を測定した。なお、幅が１２０ｃｍの下部電極５の中心の位置をＸ軸の原点（Ｘ＝０ｃｍ）とした。即ち、下部電極５の内壁板６側の一端がＸ＝６０ｃｍの位置、反対側の他端がＸ＝−６０ｃｍの位置となる。測定高さは、電極上６ｃｍである。
【００５０】
Ｂ．実験結果
目視観察の結果によれば、（イ）の条件（内壁板６−接地間のインピーダンス値の絶対値が最大となるようにインピーダンス調整部６０が調整されている条件）において、内壁板６近傍が最も暗くなった。これにより、内壁板６の近傍には、目視可能な光を発する程度のプラズマは形成されていないことが分かる。
【００５１】
また、電子密度の測定結果を図７（ａ）に示した。横軸は前記Ｘ軸上の位置を示し、縦軸はその位置で計測された１ｃｍ３あたりの電子の個数を示している。条件（ア）の測定結果を白抜きの四角（□）でプロットし、条件（イ）の結果を黒塗りの三角（▲）、条件（ウ）の結果を白抜きの丸（○）で夫々プロットしている。なお、本実験では、処理容器２の壁面の１面にのみ内壁板６を設置しており、内壁板６が設置されていない反対側の電子密度は実際の構成とは異なる。このため、実験結果の評価は、実施の形態と同様に内壁板６が設置されているＸ＞０の領域のみ評価した。
【００５２】
電子密度の測定結果によれば、内壁板６−接地間のインピーダンス値の絶対値が大きくなる程、内壁板６近傍の電子密度が小さくなっていることが分かる。これは、内壁板６−接地間、即ち、異常な経路におけるインピーダンス値が大きくなるようにインピーダンス調整部６０を調整すると、下部電極５と内壁板６との間にプラズマが立ちにくくなるという予想と一致した結果となっている。
【００５３】
（実験３）
内壁板６内の温調用流路６６に温調媒体を流した場合における内壁板６の外表面温度の応答性を調べた。
【００５４】
Ａ．実験方法
（実験１）と略同様のプラズマ処理装置において、循環ポンプで温調部６５と内壁板６との間で温調媒体を循環させ、温調部６５に設置した４ｋＷの電気ヒータ（温度調節手段）で温調媒体が１２０℃となるまで温度調節を行った。そして、内壁板６の表面温度を所定時間一定に保った後、温度設定を４０℃に下げて温調媒体を循環させながら冷却を行った。内壁板６外表面の温度は、蛍光温度プローブにより測定した。図３（ａ）に温度測定位置を×印で示した。処理容器２内は、プラズマ処理を行う場合と同じ真空雰囲気とし、処理容器２の温度調節は行わなかった。内壁板６と処理容器２の壁面間の距離は、１０ｍｍとし、処理容器２の底部はポリイミドで断熱した。
【００５５】
Ｂ．実験結果
図８は、内壁板６の表面温度の測定結果を示している。実験結果によれば、温度調節を開始して約６０分で温度が一定となり、温度調節が完了した。また、降温についても約７０分温度が一定となり、良好に温度調節ができている。従って、内壁板６に温度調節された温調媒体を流すことにより、温度応答性がよくなり、各内壁板６を均一にする温度制御が容易となることが分かる。
【図面の簡単な説明】
【００５６】
【図１】本発明の実施の形態であるプラズマ処理装置の全体構成の概略を示す縦断側面図である。
【図２】上記の実施の形態の内壁板及び処理容器の壁部近傍を拡大した縦断側面図である。
【図３】上記の実施の形態の内壁板平面図及び内壁板内部に形成された温調用流路の構造を示す縦断面図である。
【図４】上記の実施の形態の等価回路を示す回路図である。
【図５】上記の実施の形態のインピーダンス調整部の回路構成を示す回路図である。
【図６】上記の実施の形態の実験結果であるインピーダンス調整部の調整結果と異常な経路におけるインピーダンス値との関係を示す説明図である。
【図７】上記の実施の形態の実験結果であるインピーダンス調整部の調整結果と処理容器内の電子密度との関係を示す説明図である。
【図８】上記の実施の形態の実験結果である温調媒体による内壁板外表面の温度制御を行った結果を示す説明図である。
【図９】従来のプラズマ処理装置の全体構成の概略を示す縦断側面図である。
【図１０】従来例の等価回路を示す回路図である。
【符号の説明】
【００５７】
２              処理容器
３              上部電極
４ａ            第１の高周波電源
４ｂ            第２の高周波電源
５              下部電極
６              内壁板
６ａ            内壁板部材
６ｂ            流路形成部材
７              制御部
８              温度コントローラ
１０            基板
１１            処理容器
１２            上部電極
１３            下部電極
１４            絶縁材
１５            整合回路
１６            マッチングボックス
１７            高周波電源
１８            導電路
１８ａ          シャフト
１８ｂ          支持板    
１８ｃ          ベローズ体
２１            排気路
２２            真空排気手段
３０            開口部
３１            絶縁材
３２            ガス供給路
３３            処理ガス供給部
３４            ガス孔
４０ａ、４０ｂ  導電路
４１ａ、４１ｂ  整合回路
４２            マッチングボックス
４３ａ、４３ｂ  外層部
４４ａ、４４ｂ  同軸ケーブル
４５            保護管
４６ａ、４６ｂ  導電路
５０            絶縁材
５１            支持部
５２            導電路
５３            インピーダンス調整部
５４            導電性カバー体
６０            インピーダンス調整部
６１            インダクタ
６２            容量可変コンデンサ
６３            導電路
６４            固定部材
６５            温調部
６６            温調用流路
６６ａ          導入管
６６ｂ          排出管
６７ａ          導入口
６７ｂ          排出口
【図１】
2007242474.tif 000003
【図２】
2007242474.tif 000004
【図３】
2007242474.tif 000005
【図４】
2007242474.tif 000006
【図５】
2007242474.tif 000007
【図６】
2007242474.tif 000008
【図７】
2007242474.tif 000009
【図８】
2007242474.tif 000010
【図９】
2007242474.tif 000011
【図１０】
2007242474.tif 000012